(57)【要約】【課題】光軸に直交した面内を直進スライドする一対のスライド絞り羽根と、カニばさみ式の揺動羽根の対を組み合わせ、省スペースで安価な光量調整装置およびそれを用いた光学機器を提供する。【解決手段】一対の第１組の第１固定ピン及び一対の第２組の第１固定ピンを備えた固定地板部材と、第１組の第１固定ピンの一方及び第２組の第１固定ピンの一方が係合する一対の第１直進ガイド及び第２固定ピンを備えた第１スライド絞り羽根と、第１組の第１固定ピンの他方及び第２組の第１固定ピンの他方が係合する一対の第２直進ガイド及び第３固定ピンを備え、第１スライド絞り羽根とは逆方向に変位する第２スライド絞り羽根と、第１組の第１固定ピンの夫々と第２固定ピンに係合し、第１スライド絞り羽根に連動する第１組の第１揺動絞り羽根と、第２組の第１固定ピンの夫々と第３固定ピンに係合し、第２スライド絞り羽根に連動する第２組の第２揺動絞り羽根を有する。【選択図】図１
2014035417.tif 000002
【特許請求の範囲】
【請求項１】
開口部、一対の第１組の第１固定ピンおよび一対の第２組の第１固定ピンを備えた固定地板部材と、
前記第１組の第１固定ピンの一方および前記第２組の第１固定ピンの一方が係合する長手方向に伸びた一対の第１直進ガイドおよび第２固定ピンを備え、前記長手方向へ変位して前記開口部の一部を遮光する第１スライド絞り羽根と、
前記第１組の第１固定ピンの他方および前記第２組の第１固定ピンの他方が係合する前記長手方向に伸びた一対の第２直進ガイドおよび第３固定ピンを備え、前記長手方向へ前記第１スライド絞り羽根とは逆方向に変位して前記開口部の一部を遮光する第２スライド絞り羽根と、
前記第１組の第１固定ピンの夫々と前記第２固定ピンに係合し、前記第１スライド絞り羽根の前記長手方向の変位に連動して前記開口部の一部を遮光する第１組の第１揺動絞り羽根と、
前記第２組の第１固定ピンの夫々と前記第３固定ピンに係合し、前記第２スライド絞り羽根の前記長手方向の変位に連動して前記開口部の一部を遮光する第２組の第２揺動絞り羽根と、
を有することを特徴とする光量調整装置。
【請求項２】
前記第１スライド絞り羽根および前記第２スライド絞り羽根の組が前記開口部の中心に対して対称的に設けられ、かつ、前記第１組の第１揺動絞り羽根および前記第２組の第２揺動絞り羽根が、前記開口部の中心に対して対称的に設けられることを特徴とする請求項１に記載の光量調整装置。
【請求項３】
前記第１スライド絞り羽根および前記第２スライド絞り羽根を前記長手方向へ互いに逆方向に変位させる単一の駆動機構を有することを特徴とする請求項１または２に記載の光量調整装置。
【請求項４】
小絞り状態では、前記第１組の第１揺動絞り羽根および前記第２組の第２揺動絞り羽根のみで開口形状を形成することを特徴とする請求項１乃至３のいずれか１項に記載の光量調整装置。
【請求項５】
前記小絞り状態で、前記第１組の第１揺動絞り羽根および前記第２組の第２揺動絞り羽根の開口径を形成する端面を複数の曲率を組み合わせた多角形形状としたことを特徴とする請求項４に記載の光量調整装置。
【請求項６】
請求項１乃至５のいずれか１項に記載の光量調整装置を用いた光学機器。
【発明の詳細な説明】
【技術分野】
【０００１】
本発明は、レンズ交換が可能な、あるいは、レンズを一体に有する、スチルカメラやビデオカメラ等に好適な光量調整装置およびそれを用いた光学機器に関するものである。
【背景技術】
【０００２】
従来、スチルカメラやビデオカメラの撮影光学系に用いられる光量調整装置には、光軸上に開口部を設けた地板とカバーの間に２枚の絞り羽根が移動自在に挟まれているものがある。この２枚の光量調整羽根は、一対のスライド絞り羽根として、光軸に直交する面内において互いに逆方向に直進スライド移動し、開口部形状を自在に可変し、光量を調整することが可能である。
【０００３】
この光量調整装置では、光量調整羽根の構成枚数が２枚であるために、小絞り側の絞り開口形状は略菱形となる。このため、点光源から出るボケ形状・面反射ゴーストの形状が菱形に見え、高級・高精度な撮像装置には品位的に適さない。しかしながら、この光量調整装置は、スペース効率が良く、かつ廉価であるため、コンシューマ向けの撮影光学系に用いられることが多い。
【０００４】
また、上述したものとは別に、光軸上に開口部を設けたベース部材とカバーの間に３枚以上の光量調整羽根が移動自在に挟まれた、いわゆる虹彩絞りが知られる。この３枚以上の光量調整羽根は、羽根駆動リング上に時計回りあるいは反時計回りに重ねられて配置される。そして、この虹彩絞りには、連結部材を介して、光軸中心に回動する羽根駆動リングに駆動源（例えばガルバノメータ又はステッピングモータ）が連結されている。
【０００５】
ここで、虹彩絞りでは、ベース部材に設けられた回転軸ピンに光量調整羽根の穴が回転可能に嵌合し、羽根駆動リングに設けられた駆動ピンが光量調整羽根の長穴部に嵌合する。そして、他の光量調整羽根も同一構造により支持される。このようにして、羽根駆動リングが光軸を中心に回転することにより、複数枚の光量調整羽根を連動して揺動させ、開口形状を変化させることで開口を通過する光量を調整することが可能である。
【０００６】
この虹彩絞り装置は、３枚以上の光量調整羽根により開口形状が決定されるため、小絞り時の開口形状が多角形となり、点光源からでるボケ形状・面反射ゴーストの形状が円形に近くなり、高級・高精度な撮像装置に搭載されている。近年、コンシューマ向けの撮像装置においても高画質、高精度な撮像装置が求められるようになり、点光源からでるボケ形状・面反射ゴーストの形状の品位を上げるため、多角形形状の開口形状となる光量調整装置が必要となってきている。
【０００７】
特許文献１では、絞り羽根の駆動機構として、光軸と直交した面内を直進スライドする羽根構成で、相対的に逆方向に絞り羽根を移動させて開口部の開口形状を変化させる構成としながら、３枚以上の絞り羽根を用いた直進スライド式の光量調整装置が開示される。具体的には、３枚の絞り羽根による開口部が５角形、４枚の絞り羽根による開口部が６角形より成る光量調整装置が開示されている。
【０００８】
また、特許文献２では、互いに逆方向に直進して変位する一対のスライド絞り羽根と、二対の揺動絞り羽根を組合せ、羽根駆動リングにて構成された光量調整装置が開示されている。
【先行技術文献】
【特許文献】
【０００９】
【特許文献１】特公平６−３５２０号公報
【特許文献２】特開２０１０−１４５７０８号公報
【発明の概要】
【発明が解決しようとする課題】
【００１０】
しかしながら、特許文献１の様に、３枚以上で構成される直進スライド式の光量調整装置では、複数の絞り羽根のうち、移動する移動量が大きい絞り羽根と小さい絞り羽根の複数の絞り羽根を組み合わせて開口部の多角形の辺（開口縁）を構成する。このため、２枚の絞り羽根を用いた場合に比べて絞り羽根の移動量が大きくなり、コンシューマ向けのカメラの様な小型の撮影光学系に対するレンズ鏡筒には不向きである。
【００１１】
また、従来技術である複数枚の羽根で構成される虹彩絞りでは、光軸を中心に周方向へ羽根を配置し、また、羽根駆動リングで羽根を開閉させる為、周方向にスペースが必要である。特許文献２の様な光量調整装置も羽根駆動リングで羽根を開閉させるため、同様に周方向にスペースが必要である。また、部品点数が多いためコストアップを避けることができない。
【００１２】
本発明の目的は、光軸に直交した面内を直進スライドする一対のスライド絞り羽根と、カニばさみ式の揺動羽根の対を組み合わせ、省スペースで安価な光量調整装置およびそれを用いた光学機器を提供することにある。
【課題を解決するための手段】
【００１３】
上記目的を達成するために、本発明は、開口部、一対の第１組の第１固定ピンおよび一対の第２組の第１固定ピンを備えた固定地板部材と、前記第１組の第１固定ピンの一方および前記第２組の第１固定ピンの一方が係合する長手方向に伸びた一対の第１直進ガイドおよび第２固定ピンを備え、前記長手方向へ変位して前記開口部の一部を遮光する第１スライド絞り羽根と、前記第１組の第１固定ピンの他方および前記第２組の第１固定ピンの他方が係合する前記長手方向に伸びた一対の第２直進ガイドおよび第３固定ピンを備え、前記長手方向へ前記第１スライド絞り羽根とは逆方向に変位して前記開口部の一部を遮光する第２スライド絞り羽根と、前記第１組の第１固定ピンの夫々と前記第２固定ピンに係合し、前記第１スライド絞り羽根の前記長手方向の変位に連動して前記開口部の一部を遮光する第１組の第１揺動絞り羽根と、前記第２組の第１固定ピンの夫々と前記第３固定ピンに係合し、前記第２スライド絞り羽根の前記長手方向の変位に連動して前記開口部の一部を遮光する第２組の第２揺動絞り羽根と、を有することを特徴とする。
【００１４】
上記光量調整装置を用いた光学機器も本発明の他の一側面を構成する。
【発明の効果】
【００１５】
本発明によれば、光軸に直交した面内を直進スライドする一対のスライド絞り羽根と、カニばさみ式の揺動羽根の対を組み合わせ、省スペースで安価な光量調整装置およびそれを用いた光学機器を提供できる。
【図面の簡単な説明】
【００１６】
【図１】（ａ）は本発明の実施形態に係る光量調整装置の構成を説明する分解斜視図、（ｂ）は揺動絞り羽根のガイド溝の屈曲形状部の説明図である。
【図２】本発明の実施形態に係る光量調整装置の構成を説明する正面図である。
【図３】（ａ）乃至（ｆ）は第１の実施形態に係る光量調整装置の開口部の開口形状の変化を示す正面図である。
【図４】（ａ）乃至（ｆ）は第１の実施形態に係る光量調整装置の絞りの開口部を拡大表示した説明図である。
【図５】本発明の第２の実施形態に係る揺動絞り羽根の形状を説明する図である。
【図６】（ａ）、（ｂ）は第２の実施形態に係る光量調整装置の小絞り状態での開口形状を示す図である。
【図７】本発明の第３の実施形態に係る光量調整装置の構成を説明する図である。
【図８】（ａ）乃至（ｆ）は第３の実施形態に係る光量調整装置の開口部の開口形状の変化を示す正面図である。
【図９】本発明の実施形態に係る光量調整装置を用いた光学機器のブロック構成図である。
【発明を実施するための形態】
【００１７】
以下に、本発明の好ましい実施の形態を添付の図面に基づいて詳細に説明する。
【００１８】
《第１の実施形態》
（光学機器）
図９は、本発明の実施形態に係る光量調整装置を用いた光学機器のブロック構成図である。２２１はＣＣＤ等の固体撮像素子であり、２２２は第２のレンズ保持枠２０１ｂを駆動するズーム駆動源で不図示のズームアクチュエータ等を含む。２２３は第４のレンズ保持枠２０１ｄを駆動するフォーカス駆動源で不図示のフォーカスアクチュエータ等を含む。また１２ａは絞り駆動源である。
【００１９】
２２５はズームエンコーダー、２２７はフォーカスエンコーターである。エンコーダー２２５、２２７は、それぞれ第２のレンズ保持枠２０１ｂ、第４のレンズ保持枠２０１ｄの光軸方向の位置を検出する。なお、第２のレンズ保持枠２０１ｂの駆動源として不図示のズームアクチュエータにＤＣモーターを用いる場合には、ボリューム等のアブソリュートエンコーダーを用いる、あるいは磁気式エンコーダを用いることでも構わない。また、駆動源にステップモーターを用いる場合には、基準位置に保持枠を配置してから、ステップモーターに入力する動作パルス数を連続してカウントする方法が一般的である。
【００２０】
２２６は絞りエンコーダーであり、絞り駆動源であるモーターの内部にホール素子を配置し、ローターとステーターの回転位置関係を検出する方式のものなどが知られている。２２８はカメラ信号処理回路であり、固体撮像素子２２１の出力に対して所定の増幅やガンマ補正などを施す。これらの所定の処理を受けた映像信号のコントラスト信号は、ＡＥゲート２２９、ＡＦゲート２３０を通過する。即ち、露出決定及びピント合わせのために最適な信号取り出し範囲が、全画面内の内でこれらのゲートにて設定される。このゲートの大きさは可変である場合や、複数設けられる場合もあるが、ここではその詳細は記述しない。
【００２１】
２３１はＡＦ（オートフォーカス）のためのＡＦ信号処理回路であり、映像信号の高周波成分に関する一つもしくは複数の出力を生成する。２３３はズームスイッチ、２３４はズームトラッキングメモリであり、変倍に際して被写体距離と第２のレンズ保持枠２０１ｂ位置に応じて採るべき第４のレンズ保持枠２０１ｄの位置情報を記憶する。なお、ズームトラッキングメモリ２３４としては、ＣＰＵ２３２内のメモリを使用してもよい。
【００２２】
上記した構成で、例えば撮影者によりズームスイッチ２３３が操作されると、ＣＰＵ２３２はズームトラッキングメモリ２３４の情報を基に算出した第２のレンズ保持枠２０１ｂと第４のレンズ保持枠２０１ｄの所定の位置関係が保たれるように制御する。即ち、ズームエンコーダー２２５の検出結果となる現在の第２のレンズ保持枠２０１ｂの光軸方向の位置と算出された第２のレンズ保持枠２０１ｂのあるべき位置が一致するように、ズーム駆動源２２２を駆動制御する。
【００２３】
また、フォーカスエンコーター２２７の検出結果となる現在の第４のレンズ保持枠２０１ｄの光軸方向の位置と算出された第４のレンズ保持枠２０１ｄのあるべき位置が一致するように、フォーカス駆動源２２３を駆動制御する。
【００２４】
また、オートフォーカス動作ではＡＦ信号処理回路２３１の出力がピークを示すように、ＣＰＵ２３２はフォーカス駆動源２２３を駆動制御する。更に、適正露出を得るために、ＣＰＵ２３２はＡＥゲート２２９を通過したＹ信号の出力の平均値が所定値となるように制御する。即ち、絞りエンコーダー２２６の出力がこの所定値となるように、絞り駆動源１２ａを駆動制御して開口径をコントロールする。
【００２５】
鏡筒構造に関し、被写体側から順に固定のレンズ群は第１のレンズ保持枠２０１ａにより保持され、可動のレンズ群は２本のガイド軸により光軸方向に進退可能に第２のレンズ保持枠２０１ｂにより保持される。固定のレンズ群は第３のレンズ保持枠２０１ｃにより保持され、可動のレンズ群は２本のガイド軸により光軸方向に進退可能に第４のレンズ保持枠２０１ｄにより保持される。結像面側最終端のＣＣＤは後部鏡筒で保持される。
【００２６】
そして、第２のレンズ保持枠２０１ｂ、第４のレンズ保持枠２０１ｄは、それぞれ第１のレンズ保持枠２０１ａ、後部鏡筒の内部に内包される。レンズ鏡筒としての外観は、第１のレンズ保持枠２０１ａ、第３のレンズ保持枠２０１ｃ、後部鏡筒、又は第１のレンズ保持枠２０１ａと後部鏡筒にて、略密閉された、いわゆる積み上げ型の鏡筒構造となっている。
【００２７】
（光量調整装置）
以下、正面図を図２に示す第１の実施形態に係る光量調整装置について説明する。図１（ａ）で１２ａは、複数の絞り羽根の駆動源であり、具体的にはガルバノメータ又はステッピングモータが用いられる。１２０は、駆動源１２ａの出力軸に連結される羽根駆動レバーである。
【００２８】
固定地板部材である地板１２９には、開放時の開口部としての円形状の固定絞り１２９ｅが形成されている。また地板１２９には、第１組の第１固定ピン（１２９ａ、１２９ｃ）、第２組の第１固定ピン（１２９ｂ、１２９ｄ）が形成されている。
第１組の第１固定ピンの一方（１２９ａ）および第２組の第１固定ピンの一方（１２９ｂ）は、後述する第１スライド絞り羽根１２１の直進ガイドに係合する案内ピンとして機能する。また、第１組の第１固定ピンの他方（１２９ｃ）および第２組の第１固定ピンの他方（１２９ｄ）は、後述する第２スライド絞り羽根１２２の直進ガイドに係合する案内ピンとして機能する。
【００２９】
開放時の開口部１２９ｅに対し、一対のスライド絞り羽根１２１、１２２、一対の揺動絞り羽根１２３ａ、１２３ｂ、一対の揺動絞り羽根１２３ｃ、１２３ｄで開口部の形状が定まる。即ち、これらの絞り羽根が開放時の開口部１２９ｅの一部を遮光する。なお、図１（ａ）に示す１３０は羽根押さえ部材であり、各絞り羽根は地板１２９と羽根押さえ部材１３０の間で移動可能に保持される。
【００３０】
（スライド絞り羽根の作動）
第１スライド絞り羽根１２１には、地板１２９の一対の第１固定ピンの一方である案内ピン１２９ａ（１２９ｂ）に係合する第１直進ガイド１２１ｂ（１２１ｃ）が形成されている。更に駆動レバー１２０の駆動ピン１２０ａに係合する長手方向に伸びた長穴１２１ａが形成されている。
【００３１】
一方、第２スライド絞り羽根１２２には、地板１２９の一対の第１固定ピンの他方である案内ピン１２９ｃ（１２９ｄ）に係合する第２直進ガイド１２２ｂ（１２２ｃ）が形成されている。更に駆動レバー１２０の駆動ピン１２０ｂに係合する長穴１２２ａが形成されている。
【００３２】
駆動源１２ａからの回動力は、後述する駆動レバー１２０に連結され、開口部１２９ｅの中心に対して対称的に設けられた一対のスライド絞り羽根１２１、１２２に伝達される。そして、一対のスライド絞り羽根１２１、１２２は、案内ピン１２９ａ〜ｄに係合する上述した直進ガイドに沿って、互いに逆方向に上述した長手方向に変位する。
【００３３】
（揺動絞り羽根の作動）
第１スライド絞り羽根１２１には、第１組の第１揺動絞り羽根としての揺動絞り羽根１２３ａ、１２３ｂの羽根を揺動駆動させる駆動ピンとしての第２固定ピン１２１ｄが設けられる。この駆動ピンとしての第２固定ピン１２１ｄは、第１組の第１揺動絞り羽根１２３ａ、１２３ｂに夫々形成されたカム溝１２３ｅ、１２３ｆと係合する。
【００３４】
同様に、第２スライド絞り羽根１２２には、第２組の第２揺動絞り羽根としての揺動絞り羽根１２３ｃ、１２３ｄの羽根を揺動駆動させる駆動ピンとしての第３固定ピン１２２ｄが設けられる。この駆動ピンとしての第３固定ピンは、第２組の第２揺動絞り羽根１２３ｃ、１２３ｄに夫々形成されたカム溝１２３ｇ、１２３ｈと係合する。
【００３５】
揺動絞り羽根１２３ａは、地板１２９の案内ピン１２９ａに対して回転基準穴１２３ｉで係合し、これを回転基準として回動可能であって、更にスライド絞り羽根１２１の駆動ピンとしての第２固定ピン１２１ｄに対してカム溝１２３ｅで係合する。同様に、揺動絞り羽根１２３ｂは、地板１２９の案内ピン１２９ｃに対して回転基準穴１２３ｊで係合し、これを回転基準として回動可能であって、更にスライド絞り羽根１２１の駆動ピンとしての第２固定ピン１２１ｄに対してカム溝１２３ｆで係合する。
【００３６】
同様に、揺動絞り羽根１２３ｃは、地板１２９の案内ピン１２９ｂに対して回転基準穴１２３ｋで係合し、これを回転基準として回動可能であって、更にスライド絞り羽根１２２の駆動ピンとしての第２固定ピン１２２ｄに対してカム溝１２３ｇで係合する。同様に、揺動絞り羽根１２３ｄは、地板１２９の案内ピン１２９ｃに対して回転基準穴１２３ｉで係合し、これを回転基準として回動可能であって、更にスライド絞り羽根１２２の駆動ピンとしての第２固定ピン１２２ｄに対してカム溝１２３ｈで係合する。
【００３７】
第１組の第１揺動絞り羽根１２３ａと１２３ｂは、スライド絞り羽根１２１の変位方向に関して対称的に配置され、スライド絞り羽根１２１の直進駆動により、カニ挟みの様に揺動駆動する。同様に、第２組の第２揺動絞り羽根１２３ｃと１２３ｄは、スライド絞り羽根１２２の変位方向に関して対称配置され、スライド絞り羽根１２２の直進駆動により、カニ挟みの様に揺動駆動する。そして、第１組の第１揺動絞り羽根１２３ａ、１２３ｂと、第２組の第２揺動絞り羽根１２３ｃ、ｄは、開口部１２９ｅの中心に対し対称的に配置される。
【００３８】
（カム溝形状）
なお、カム溝１２３ｅ〜１２３ｈの形状に関して、図１（ｂ）に示すように、駆動ピン１２１ｄが直進して変位する一方、係合する領域は回動する関係にある。そのため、駆動ピン１２１ｄの変位に対して駆動ピン１２１ｄが係合する領域から外れないように、カム溝１２３ｅ〜１２３ｈには屈曲形状部が設けられている。
【００３９】
（単一の駆動機構）
一対の揺動絞り羽根１２３ａ、１２３ｂは、単一の駆動機構駆動レバー１２０により直進スライド駆動するスライド絞り羽根１２１の直進駆動に連動して揺動する。即ち、地板１２９の案内ピン１２９ａ、１２９ｃを夫々の回転基準にして、スライド絞り羽根１２１の駆動ピンとしての第２固定ピン１２１ｄの変位により、揺動する。
【００４０】
同様に、一対の揺動絞り羽根１２３ｃ、１２３ｄは、単一の駆動機構としての駆動レバー１２０によりスライド絞り羽根１２１に対し逆方向に直進スライド駆動するスライド絞り羽根１２２の直進駆動に連動して揺動する。即ち、地板１２９の案内ピン１２９ｂ、１２９ｄを夫々の回転基準にして、絞り羽根１２２の駆動ピン１２２ｄにより、駆動ピンとしての第２固定ピン１２１ｄの変位により、揺動する。
【００４１】
（各絞り羽根の端面形状）
ここで、各絞り羽根の端面は、開口径を形成する形状の１辺以上を形成し、駆動源１２ａの回転駆動に連動して、開口径を変化させることで光量調整を行うことができる。絞り羽根の駆動による各羽根の動きの状態を図３（ａ）〜（ｆ）に、その際の開口状態の拡大図を図４（ａ）〜（ｆ）に示す。
【００４２】
本実施形態の光量調整装置によれば、少ないスペースで光量調整羽根枚数を増やし、開口径形状を多角形にすることができ、点光源からでるボケ形状・面反射ゴーストの形状が円形に近くなることで品位を上げることができる。また、少ないスペースで光量調整羽根枚数を多く配置できるため、光量調整装置の小型化ができる。更に、駆動リングも無くすことができ、部品点数の削減にも寄与することができる。
【００４３】
《第２の実施形態》
以下、図５、図６を参照して、本発明の第２の実施形態に係る光量調整装置について説明する。第１の実施形態にて説明した光量調整装置において、開口が小絞り状態になったとき、一対のスライド絞り羽根１２１、１２２の駆動に対し、揺動絞り羽根１２３ａ〜ｄの揺動が追い越してしまう。そのため、開口形状は、揺動絞り羽根１２３ａ〜１２３ｄの端面にて形成され、スライド絞り羽根１２１、１２２の開口端面で形成されていた辺を覆ってしまう。このため、図６（ａ）の小絞り状態の様に、多角形の辺の数が減ってしまう。
【００４４】
そこで、本実施形態では、図５に示した破線丸部のように、揺動絞り羽根１２３ａ〜１２３ｄの小絞りを形成する端面部に複数の曲率を持った形状を形成する。そして、図６（ｂ）に示すような小絞り状態の開口形状を、辺の数を維持した多角形形状とすることができる光量調整装置が実現できる。
【００４５】
《第３の実施形態》
以下、図７、図８を参照して、本発明の第３の実施形態に係る光量調整装置について説明する。第１の実施形態の光量調整装置においては、揺動羽根は、地板１２９に形成された案内ピン１２９ｃ〜ｆを夫々の回転基準ピン、直進スライド羽根１２１、１２２に形成されたピン１２１ｄ、１２２ｄを駆動カムピンとして、揺動駆動していた。これに対し、
本実施形態では、回転基準ピンと駆動カムピンを逆にした構成としている。即ち、図７で示すように、揺動羽根１２３ａ’〜ｄ’は、直進スライド羽根１２１、１２２に形成されたピン１２１ｄ、１２２ｄを夫々の回転基準ピン、地板１２９に形成された案内ピン１２９ｃ〜ｆを駆動カムピンとして、揺動駆動する構成としている。図８に本実施形態の光量調整装置における開口形状の変化を示す。
【符号の説明】
【００４６】
１２１・・第１スライド絞り羽根、１２１ｂ、１２１ｃ・・一対の第１直進ガイド、１２１ｄ・・第２固定ピン、１２２・・第２スライド絞り羽根、１２２ｂ、１２２ｃ・・一対の第２直進ガイド、１２２ｄ・・第３固定ピン、１２３ａ、１２３ｃ・・第１組の第１揺動絞り羽根、１２３ｂ、１２３ｄ・・第２組の第２揺動絞り羽根、１２３ｅ〜１２３ｈ・・カム溝、１２９・・固定地板部材、１２９ａ、１２９ｃ・・第１組の第１固定ピン、１２９ｂ、１２９ｄ・・第２組の第１固定ピン、１２９ｅ・・開口部
【図１】
2014035417.tif 000003
【図２】
2014035417.tif 000004
【図３】
2014035417.tif 000005
【図４】
2014035417.tif 000006
【図５】
2014035417.tif 000007
【図６】
2014035417.tif 000008
【図７】
2014035417.tif 000009
【図８】
2014035417.tif 000010
【図９】
2014035417.tif 000011